(57)【要約】【課題】  液晶のバックライトに付加的な機能を設けることによって、従来にない新しい機能を有した液晶表示装置を提供することを課題とするものである。また、画像表示以外の新しい機能を有した液晶表示装置を提供することを課題とするものである。【解決手段】  透過型の液晶表示パネルの背面に透光性を有する印刷シートを配置し、当該印刷シートの背面にバックライトを設けたことを特徴とするものであり、単一の透過型の液晶表示パネルの背面に壁によって区画した複数の収容空間を設けるとともに、当該収容空間の一つに透光性を有する印刷シートを配置し、当該印刷シートの背面にバックライトを設けたことを特徴とする。また、前記収容空間の一つに、収容した物品を照らす照明装置と当該収容した物品を外部に排出機構を設けることもできるものである。【選択図】図１
2014006455.tif 000002
【特許請求の範囲】
【請求項１】
透過型の液晶表示パネルの背面に透光性を有する印刷シートを配置し、当該印刷シートの背面にバックライトを設けたことを特徴とする表示装置。
【請求項２】
単一の透過型の液晶表示パネルの背面に壁によって区画した複数の収容空間を設けるとともに、
当該収容空間の一つに透光性を有する印刷シートを配置し、当該印刷シートの背面にバックライトを設けたことを特徴とする表示装置。
【請求項３】
単一の透過型の液晶表示パネルの背面に壁によって区画した複数の収容空間を設け、
当該収容空間の一つに透光性を有する印刷シートを配置するとともに当該印刷シートの背面にバックライトを設け、
前記収容空間の一つに、収容した物品を照らす照明装置と当該収容した物品を外部に排出機構を設けたことを特徴とする表示装置。
【請求項４】
前記印刷シートを透明板と乳白色の透光板によって挟持したことを特徴とする請求項１乃至３の何れか一項記載の表示装置。
【請求項５】
単一の透過型の液晶表示パネルの背面に壁によって区画した複数の収容空間を設けるとともに当該収容空間毎に光源を設け、
液晶表示パネルを通過する光量を当該収容空間毎に異ならせたことを特徴とする表示装置。
【発明の詳細な説明】
【技術分野】
【０００１】
本発明は表示装置に関するものであり、特に透過型の液晶表示装置を用いた大型の表示装置に関するものである。
【背景技術】
【０００２】
従来特許文献一記載の液晶表示装置が知られている。当該液晶表示装置は、画像を生成する液晶板の背面に拡散板を近接配置し、さらにその背後に光源を設けたものである。すなわち、光源による光によって拡散板全体を発光させることで液晶板のバックライトを構成するものである。
【先行技術文献】
【特許文献】
【０００３】
【特許文献１】特開２０１０−１９２３０１号公報
【発明の概要】
【発明が解決しようとする課題】
【０００４】
上記従来の液晶表示装置は、拡散板全体を発光させることによって液晶のバックライトを構成しているが、当該拡散板はバックライト以外の機能を持たないものである。また、上記従来の液晶表示装置は、表示装置としての機能以外は有していないものである。
【０００５】
本発明は上記事情に鑑み発明されたものであって、液晶のバックライトに付加的な機能を設けることによって、従来にない新しい機能を有した液晶表示装置を提供することを課題とするものである。
また、画像表示以外の新しい機能を有した液晶表示装置を提供することを課題とするものである。
【課題を解決するための手段】
【０００６】
上記課題を解決するために、本願発明は以下の構成を有する。すなわち、
透過型の液晶表示パネルの背面に透光性を有する印刷シートを配置し、当該印刷シートの背面にバックライトを設けたことを特徴とする表示装置。
【０００７】
また、本願発明は以下の構成を有する。すなわち、
単一の透過型の液晶表示パネルの背面に壁によって区画した複数の収容空間を設けるとともに、
当該収容空間の一つに透光性を有する印刷シートを配置し、当該印刷シートの背面にバックライトを設けたことを特徴とする表示装置。
【０００８】
また、本願発明は以下の構成を有する。すなわち、
単一の透過型の液晶表示パネルの背面に壁によって区画した複数の収容空間を設け、
当該収容空間の一つに透光性を有する印刷シートを配置するとともに当該印刷シートの背面にバックライトを設け、
前記収容空間の一つに、収容した物品を照らす照明装置と当該収容した物品を外部に排出機構を設けたことを特徴とする表示装置。
【０００９】
また、本願発明は表示装置において以下の構成を有する。すなわち、
前記印刷シートを透明板と乳白色の透光板によって挟持したこと。
【００１０】
また、本願発明は以下の構成を有する。すなわち、
単一の透過型の液晶表示パネルの背面に壁によって区画した複数の収容空間を設けるとともに当該収容空間毎に光源を設け、
液晶表示パネルを通過する光量を当該収容空間毎に異ならせたことを特徴とする表示装置。
【発明の効果】
【００１１】
透過型の液晶表示パネルの背面に透光性を有する印刷シートを配置し、当該印刷シートの背面にバックライトを設けたことにより、液晶を用いた画面表示だけでは表現できない情報を表示できるという効果を有する。
また、単一の透過型の液晶表示パネルの背面に壁によって区画した複数の収容空間を設けるとともに、当該収容空間の一つに透光性を有する印刷シートを配置し、当該印刷シートの背面にバックライトを設けたので、大きな液晶画面であってもあたかも複数の液晶表示装置が設けられているのと同様に、複数の情報を表示することができるようになっている。また、収容空間に収容した物品を見せながら、同時に画像も見ることができるという効果を有している。
【００１２】
また、単一の透過型の液晶表示パネルの背面に壁によって区画した複数の収容空間を設け、当該収容空間の一つに透光性を有する印刷シートを配置するとともに当該印刷シートの背面にバックライトを設け、前記収容空間の一つに、収容した物品を照らす照明装置と当該収容した物品を外部に排出する機構を設けることにより、非常時等に必要な物品を取り出し可能に収容しておくことができるという効果を有している。
【００１３】
前記印刷シートを透明板と乳白色の透光板によって挟持することで、印刷シートに近接した背後で光源として最適な白色光を発生させることができるようになっている。
また、単一の透過型の液晶表示パネルの背面に壁によって区画した複数の収容空間を設けるとともに当該収容空間毎に光源を設け、液晶表示パネルを通過する光量を当該収容空間毎に異ならせることにより、収容した物品に応じて光量で物品を照らし、液晶画面のバックライトとして適切となるような調節をすることができるという効果を有している。
【図面の簡単な説明】
【００１４】
【図１】表示装置の外観図および構成図である。
【図２】表示装置の中央付近を上方から見た平断面図である。
【図３】第一の収容空間、第二の収容空間（一例として第三の収容空間を設けていない例）を側面側から見た縦断面図である。
【図４】表示装置の中央付近を正面側から見た断面図である。
【図５】表示装置に画像を表示した使用例を表した正面図である。
【図６】表示装置に装着する印刷シートおよび当該印刷シートに重ねる画像の説明図である。
【図７】印刷シートに画像を重ね合わせた合成図である。
【発明を実施するための形態】
【００１５】
以下、本発明の一実施の形態を説明する。
図１は本発明の一実施の形態に係る表示装置１の一例を表した説明図であり、図１（ａ）は外観斜視図、図１（ｂ）は主な構成要素を表した分解斜視図である。表示装置１は、一例として駅構内や街頭等に設置する案内板としての利用を想定し路面や床面に固定して用いるように形成されている。
表示装置１は、前面を覆うフロントパネル２、左右のサイドパネル３、背面を覆うバックパネル４、上面のトップパネル５からなる外装パネルを有している。当該各パネルは、内部の骨格部材６に固定されるようになっている。
【００１６】
本実施の形態では、フロントパネル２には２つの（あるいは２つ以上の）開口７、８が設けられている。当該開口７、８の背面には透過型の液晶表示装置９が配置されており、当該液晶表示装置９が有する一つの液晶表示画面を前記２つの開口７、８を介してみることができるようになっている。すなわち、見かけ上一つの表示画面を２つに分割した状態を形成したものである。
透過型の液晶表示装置とは、画像を生成する液晶板の背面を透明素材によって形成することで、表裏が透けて見えるように形成した表示装置である。
【００１７】
液晶表示装置９の、前記開口７に面した領域の背面には上下左右方向に設けられた壁によって区画された第一の収容空間１０が設けられている。そして、当該第一の収容空間１０には、前記開口７に近似した大きさの印刷パネル１１と、同様の大きさを有する光源パネル１２が設けられている。
印刷パネル１１は液晶表示装置９側から透明な透明板、印刷を施した透光性を有する印刷シート、乳白色の透光板による３層構造を有しており、印刷シートを透明板と透光板によって挟持するようになっている。なお、液晶表示装置９の背面と印刷シートとの間隔は、視野角による表示のズレを考慮すると１０ｍｍ以下にするのが好ましい。
【００１８】
前記開口７の隣に設けた開口８の背面にも、上下左右方向に設けられた壁によって区画された第二の収容空間１３が設けられている。また、本実施の形態では、第二の収容空間１３の上方にもう一つの第三の収容空間１４を設けている。これら第二の収容空間１３および第三の収容空間１４を構成する床や壁の内面側には白色若しくは白色に近似した色の塗料が塗布されており、光を拡散反射させやすくなっている。
上記第二の収容空間１３および第三の収容空間１４の側壁内面には、ＬＥＤを発光体とする光源が設けられており（図示せず）、当該第二の収容空間１３および第三の収容空間１４に収容した物品に向けて照射することで、開口８を介した視認させることができるようになっている。すなわち、液晶表示装置９によって表示される画像の背後に、当該第二の収容空間１３および第三の収容空間１４に収容した物品を見ることができるようになっている。
【００１９】
また、一例として下方に設けた第二の収容空間１３の底板１５は、下方に向けて開くようになっている。当該底板１５は、フロントパネル２の前面に突出したレバー１６を押すことによって下方に開き、底板１５上に載置されていた物品を落下させるようになっている。落下した物品は、フロントパネル２前面の下方に設けた取り出し口１７より取り出すことができるようになっている。
第二の収容空間１３には、例えばＡＥＤといった緊急時に応急処置をするための物品等を収容しておくことができる。この場合、当該第二の収容空間１３の前面である開口８の下部のみに、ＡＥＤの使用方法を説明するガイダンス映像を流すことができる。
【００２０】
また、ＡＥＤを収容する場合には、ＡＥＤの取り出しを検知して、管理者や消防署等に自動通知が行われるように構成しても差し支えない。表示装置は、駅構内等の公共施設に設置することを想定しており、公衆回線やインターネット回線と接続することで、表示情報の更新や周囲の携帯端末に対する基地局的な役割を持たせることも可能となっている。
【００２１】
第三の収容空間１４には、宣伝広告を行う物品等を収容することができる。そして、当該第三の収容空間１４の前面である開口８の上部のみに、商品の広告映像を流すことができる。
また、収容空間毎に設けた光源の光量を個別に調節するようにしてもよい。液晶表示パネルを通過する光量を当該収容空間毎に異ならせることにより、収容した物品に応じて光量で物品を照らし、液晶画面のバックライトとして適切となるような調節をすることができるという効果がある。
図２は表示装置１の中央付近を上方から見た平断面図、図３は第一の収容空間１０、第二の収容空間１３（一例として第三の収容空間１４を設けていない例）を側面側から見た縦断面図、図４は表示装置１の中央付近を正面側から見た断面図、図５は、表示装置１に画像を表示した使用例を表した正面図である。
【００２２】
次に、第一の収容空間１０に装着した印刷パネル１１内の印刷シート１８（図７（ａ））と、開口７に表示させる画像１９（図７（ｂ））について説明する。
印刷シート１８には、一例としてインクまたは顔料を用いた所定の印刷機によって印刷された地図が描かれている。当該地図は、特に色弱者等の色覚異常を有する方でも絵柄を判別しやすいように、描いた絵の輪郭を判別しやすいコントラストにしたり、微細な模様を入れるなどの配慮が行われたものである。このような色の表現や模様の混入は、現状の液晶表示装置では表現できないものであるから、地図については印刷シート１８による印刷物を用いている。
【００２３】
画像１９には、前記印刷シート１８上に重ね合される施設名称が表示される。当該画像１９は、コンピュータによって生成されるものであり、様々な書体や言語での表示が可能となっている。また、広告表示欄２０を設けてもよい。
本実施の形態に用いる液晶表示装置９は、画面に対する指によるタッチを検出できるタッチ式の液晶装置を用いている。このため、広告表示欄２０に掲載されている施設や店舗のバナー広告を触ると、図７に示されている点線表示のように、現在位置からの道順を画面上に動画表示させることができるようになっている。
また、韓国語や中国後などによる表示指示も合わせて行うことができるようになっている。
【符号の説明】
【００２４】
１  表示装置
２  フロントパネル
３  サイドパネル
４  バックパネル
５  トップパネル
６  骨格部材
７、８  開口
９  液晶表示装置
１０  第一の収容空間
１１  印刷パネル
１２  光源パネル
１３  第二の収容空間
１４  第三の収容空間
１５  底板
１６  レバー
１７  取り出し口
１８  印刷シート
１９  画像
２０  広告表示欄
【図１】
2014006455.tif 000003
【図２】
2014006455.tif 000004
【図３】
2014006455.tif 000005
【図４】
2014006455.tif 000006
【図５】
2014006455.tif 000007
【図６】
2014006455.tif 000008
【図７】
2014006455.tif 000009